(57)【要約】【課題】トレイ（４）にディスクを載置するときは視認しやすい第１の高さ（ｈｈ）とし、かつトレイを搬入又は搬出する途中では薄型の本体（１）に対応して第１の高さよりも低い第２の高さ（ｈｌ）に調整可能な複数のガイド部（４Ｄ１〜４Ｄ４）を備えたフロントローディング型のディスク装置を提供する。【解決手段】前面開口部（３）を有する本体（１）と、トレイ（４）とを備え、トレイ（４）は、ディスクを載置する載置部（４Ａ）と、載置部（４Ａ）を取り囲む位置に設けられた複数のベース部（４Ｂ１〜４Ｂ４）と、載置部（４Ａ）と複数のベース部（４Ｂ１〜４Ｂ４）間に設けられた複数のガイド壁部（４Ｃ１〜４Ｃ４）と、複数のベース部（４Ｂ１〜４Ｂ４）の上面から伸縮自在に露出する複数のガイド部（４Ｄ１〜４Ｄ４）とを有する。【選択図】図１
2011134384.tif 000002
【特許請求の範囲】
【請求項１】
フロントローディング型のディスク装置であって、
前面開口部を有する本体と、
前記前面開口部を介して、前記本体内に搬入し又は前記本体外へ搬出されるトレイとを備えており、
前記トレイは、
ディスクを載置する載置部と、前記載置部を取り囲む位置に設けられた複数のベース部と、前記載置部と前記複数のベース部間に設けられた複数のガイド壁部と、前記複数のベース部の上面から伸縮自在に露出する複数のガイド部とを有し、
前記複数のガイド部の高さは、それぞれ、前記トレイが前記本体外又は前記本体内にあるときは前記ガイド部が前記前面開口部で規制されない第１の高さであり、前記トレイが前記本体内に搬入される途中では前記ガイド部が前記前面開口部で規制されて第１の高さよりも低い第２の高さに調整されることを特徴とするディスク装置。
【請求項２】
前記ガイド部は、前記トレイが前記本体外にありかつ前記ガイド部が前記前面開口部で規制されない位置において、前記前面開口部側に傾斜する傾斜部を有することを特徴とする請求項１記載のディスク装置。
【発明の詳細な説明】
【技術分野】
【０００１】
本発明は、フロントローディング型のディスク装置に関するものである。
【背景技術】
【０００２】
フロントローディング型のディスク装置のトレイには、ディスクを安定して載置するための凹部状の載置部が設けられており、この載置部の周囲を取り囲むように複数のガイド部が一段高い位置に設けられている。これら複数のガイド部は、外部から持ち込まれるディスクの外周を位置規制して載置部内に落し込むためのものであるから、ユーザはこの位置規制の具合を視認して微調整するだけで、ディスクを載置部内に安定して載置することができる。
【０００３】
ところで、前記したディスク装置の薄型化に対応したトレイの薄型化が進められており、前記した複数のガイド部の高さを低くすることが行われている。しかし、各ガイド部の高さを低くすると載置部との段差が縮まり、ユーザは前記した位置規制の具合を視認しくくなる。この結果、ディスクをトレイに安定して載置していることを確認せずに、トレイを本体内に搬入（ローディング）すると、ディスクが本体との間に挟まり、ローディングの続行ができない等の不都合が生じる。また、ディスクの傷付きや破損を引き起こす恐れがあった。
【０００４】
こうした恐れを未然に回避するため、トレイのローディングに先立ち、ディスクが載置部から外れてガイド部上に乗り上げている等の状態を検出する検出手段を、各ガイド部上面にそれぞれ設けた光ディスク装置がある（特許文献１参照）。
【先行技術文献】
【特許文献】
【０００５】
【特許文献１】特開２０００−１７３１６１号公報
【発明の概要】
【発明が解決しようとする課題】
【０００６】
しかしながら、前記した検出手段は、各ガイド部の上面に設けておくことが必須であるから、各ガイド部の高さを低くしてもこの検出手段の高さ分だけトレイの薄型化はできず、この結果、こうした検出手段を備えたトレイは、ディスク装置の薄型化には不適なものであった。
【０００７】
そこで本発明は、こうした課題を解消するために創案されたものであり、外部から持ち込まれるディスクをトレイに載置するときはユーザが視認しやすい第１の高さとしてディスクの載置を行い易くし、かつトレイをローディング又は搬出（イジェクト）する途中では薄型の本体に対応して第１の高さよりも低い第２の高さに調整可能な複数のガイド部を備えたフロントローディング型のディスク装置を提供することを目的とする。
【課題を解決するための手段】
【０００８】
そこで本発明は、上記した課題を解決するために、下記の構成を有するディスク装置を提供する。
【０００９】
（１）  フロントローディング型のディスク装置であって、
前面開口部（３）を有する本体（１）と、
前記前面開口部を介して、前記本体内に搬入又は前記本体外へ搬出されるトレイ（４）とを備えており、
前記トレイは、
ディスクを載置する載置部（４Ａ）と、前記載置部を取り囲む位置に設けられた複数のベース部（４Ｂ１〜４Ｂ４）と、前記載置部と前記複数のベース部間に設けられた複数のガイド壁部（４Ｃ１〜４Ｃ４）と、前記複数のベース部の上面から伸縮自在に露出する複数のガイド部（４Ｄ１〜４Ｄ４）とを有し、
前記複数のガイド部の高さは、それぞれ、前記トレイが前記本体外又は前記本体内にあるときは前記ガイド部が前記前面開口部で規制されない第１の高さ（ｈｈ）であり、前記トレイが前記本体内に搬入される途中では前記ガイド部が前記前面開口部で規制されて第１の高さ（ｈｈ）よりも低い第２の高さ（ｈｌ）に調整されることを特徴とするディスク装置（Ａ）。
【００１０】
（２）  前記ガイド部（４Ｄ１〜４Ｄ４）は、前記トレイ（４）が前記本体（１）外にありかつ前記ガイド部（４Ｄ１〜４Ｄ４）が前記前面開口部（３）で規制されない位置において、前記前面開口部（３）側に傾斜する傾斜部（4Ｅ1〜４Ｅ４）を有することを特徴とする前記（１）記載のディスク装置。
【発明の効果】
【００１１】
上記した構成を有する本発明は、外部から持ち込まれるディスクをトレイに載置するときはユーザが視認しやすい第１の高さとしてディスクの載置を行い易くし、かつトレイをローディング又はイジェクトする途中では薄型の本体に対応して第１の高さよりも低い第２の高さに調整可能な複数のガイド部を備えたフロントローディング型のディスク装置を提供することができる。
【図面の簡単な説明】
【００１２】
【図１】トレイがイジェクトされた状態の本発明ディスク装置を示す図である。
【図２】トレイがイジェクトされた状態の本体を示す図である。
【図３】トレイがローディング又はイジェクトされる途中の状態を示す図である。
【発明を実施するための形態】
【００１３】
以下、本発明の実施の形態について、図１〜図３を参照して説明する。
【００１４】
本発明の実施の形態である光ディスク装置Ａは、図１に示すように、本体１と、トップカバー２と、前面開口部３と、トレイ４とを備えており、トレイ４は本体１に対してイジェクトされた状態である。
【００１５】
トレイ４に載置される光ディスクは、ＣＤ(Compact Disc)規格、ＤＶＤ（Digital Versatile Disc）規格、ＢＤ(Blu-ray Disc)規格等の各規格に準拠した光ディスクである。
【００１６】
本体１は、その上面をトップカバー２で覆う上面開放型の外筐体であり、メカシャーシ１Ａ（図２）をその中に収納する。
【００１７】
本体１は、その前面に前面開口部３を備えている。前面開口部３は、トレイ４を本体１（メカシャーシ１Ａ）に対してローデイング又はイジェクトを行うための開口部である。
【００１８】
メカシャーシ１Ａ内には、トレイ４を水平方向に沿って前後に移動可能に支持するトレイホルダ（図示せず）が配置されている。トレイ４は、このトレイホルダの移動によって、前面開口部３を経由してローディング又はイジェクトを行なう。トレイ４はローディングモータ（図示せず）の回転方向を切り替えることで、ローディング又はイジェクトが可能な構成となっている。
【００１９】
メカシャーシ１Ａには、光ディスクを保持し回転させるスピンドルモータ、光ディスクを載置するターンテーブル、ターンテーブル上に載置された光ディスクをクランプするクランパ、光ディスクからの情報の読出しまたは光ディスクに対する情報の書込みを行う光ピックアップ、光ピックアップを光ディスクの半径方向に移動させるトラバースモータ、およびリードスクリュー、光ディスク装置Ａ全体の動作制御を行う制御部（いずれも図示せず）などを備えている。
【００２０】
トレイ４の中央には、同心円状に設けられた大小２つの凹部を備えたディスク載置部４Ａが設けられている。大径（１２０ｍｍ）の凹部が大径ディスク載置部４Ａ１、小径（８０ｍｍ）の凹部は小径ディスク載置部４Ａ２であり、光ディスク装置Ａに装着する光ディスクの外径に応じて使い分けるように準備されている。小径ディスク載置部４Ａ２の高さ位置は、大径ディスク載置部４Ａ１の高さ位置よりも一段低い。
【００２１】
トレイ４の大径ディスク載置面４Ａ１及び小径ディスク載置面４Ａ２には、それらの中心部を通りトレイ４の移動方向である前後方向に沿って、メカシャーシ１Ａ内に設けられる図示しない光ピックアップを回避するための所要幅の開口部４Ａ３が形成されている。
【００２２】
大径ディスク載置部４Ａ１の外周には、図２に示すように、ディスク載置部４Ａ（大径ディスク載置部４Ａ１）を取り囲むように、ベース部４Ｂ１，４Ｂ２，４Ｂ３，４Ｂ４が一定間隔をもって離間して設けられている。ベース部４Ｂ１とベース部４Ｂ３は、大径ディスク載置部４Ａ１を介して正対しており、同様に、ベース部４Ｂ２とベース部４Ｂ４とも、正対している。
【００２３】
ベース部４Ｂ１〜４Ｂ４の上面は、トップカバー２と所定間隔をもって平行に対向する位置にあり、図３に示すように、大径ディスク載置部４Ａ１の大径ディスク載置位置ｓよりも、一段高い位置（高さｈ）にある。大径ディスク載置位置ｓは大径ディスク載置部４Ａ１の底面位置を指す。
【００２４】
ベース部４Ｂ１〜４Ｂ４の各上面からディスク載置部４Ａ側へ降下して大径ディスク載置位置ｓに至る面は、滑らかなテーパ形状のガイド壁部４Ｃ１，４Ｃ２，４Ｃ３，４Ｃ４にて連続している。このガイド壁部４Ｃ１〜４Ｃ４により、大径ディスク載置部４Ａ１内に大径光ディスクを載置する際、大径光ディスクの外縁とガイド壁部４Ｃ１〜４Ｃ４との位置関係を確認してから大径光ディスクを落とし込むだけで、大径光ディスクは大径ディスク載置部４Ａ１内へ滑り込むから、この結果、大径光ディスクを大径ディスク載置部４Ａ１内に安定して載置することができる。
【００２５】
ガイド部４Ｄ１〜４Ｄ４は、その上側が、ベース部４Ｂ１〜４Ｂ４の上面を貫通してその上方へ、弾ぱつ力をもって伸縮自在に露出している。また、ガイド部４Ｄ１〜４Ｄ４の下側は、ベース部４Ｂ１〜４Ｂ４内に位置しており、スプリングなどの弾性部材を介して、ベース部４Ｂ１〜４Ｂ４内あるいはトレイ４上に固定されている。
【００２６】
ガイド部４Ｄ１〜４Ｄ４の上側は、最大伸長位置（ベース部４Ｂ１〜４Ｂ４の上面から高さｈｈ）から、収縮位置（ベース部４Ｂ１〜４Ｂ４の上面から高さｈｌ）までの間、弾ぱつ力をもって、伸縮自在に、露出している。
【００２７】
ガイド部４Ｄ１〜４Ｄ４は、トップカバー２側から押圧される押圧力に比例して、押圧前の最大伸長位置から収縮位置まで沈降し、この押圧力が解除されると、収縮位置から最大伸長位置まで浮上し、その高さが復帰する、フローティング機構を有している。
【００２８】
ガイド部４Ｄ１〜４Ｄ４は、均等な弾性力を有しており、外部から印加する押圧条件が同一の場合、ベース部４Ｂ１〜４Ｂ４の上面から等しい高さで露出する。
【００２９】
ガイド部４Ｄ１〜４Ｄ４は、前面開口部３側に傾斜するテーパ形状の傾斜部4Ｅ1〜４Ｅ４を有している。
【００３０】
具体的には、ガイド部４Ｄ１，４Ｄ２が押圧されないとき（最大伸長時）の、ベース部４Ｂ１，４Ｂ２の上面からの高さを、高さｈｈとすると、大径ディスク載置部４Ａ１の位置ｓからガイド部４Ｄ１，４Ｄ２の上部までの高さは、ｈ＋ｈｈとなる。この場合、トレイ４が本体１外にてイジェクト完了している状態のとき、あるいは、トレイ４が本体１内にてローディング完了している状態のときであり、前面開口部３の上辺部３ａでガイド部４Ｄ１，４Ｄ２の上部が押圧されていないときである。ガイド部４Ｄ３，４Ｄ４についても前述したガイド部４Ｄ１，４Ｄ２と同様である。
【００３１】
一方、ガイド部４Ｄ１，４Ｄ２が所定の押圧力で押圧されたときの、ベース部４Ｂ１，４Ｂ２の上面からの高さを、高さｈｌとすると、大径ディスク載置部４Ａ１の位置ｓからガイド部４Ｄ１，４Ｄ２の上部までの高さは、ｈ＋ｈｌとなる。この場合、トレイ４がローディング途中、あるいは、イジェクト途中で、前面開口部３の上辺部３ａでガイド部４Ｄ１，４Ｄ２の上部が一定の押圧力で押圧している状態のときである（図２、図３）。このとき、ガイド部４Ｄ３，４Ｄ４は、前面開口部３の上辺部３ａで、その上部を押圧されていないから、大径ディスク載置部４Ａ１の位置からガイド部４Ｄ３，４Ｄ４の上部までの高さは、ｈ＋ｈｈとなる。
【００３２】
大径ディスク載置部４Ａ１の位置ｓから、前面開口部３の上辺部３ａまでの高さは、ｈ＋ｈｌであることは言うまでもない。
【００３３】
前記した各種の高さの関係は、次の通りである。
（ｈ＋ｈｈ）＞（ｈ＋ｈｌ）＞ｈ
【００３４】
このように、本発明は上記した構成を有することによって、トレイ４のローデイング又はイジェクトの過程で、前面開口部３の上辺部３ａが、移動中のトレイ４上に伸縮自在に設けたガイド部４Ｄ１〜４Ｄ４の傾斜部４Ｅ１〜４Ｅ４に順に当接すると、トレイ４の上側に浮上しているガイド部４Ｄ１〜４Ｄ４はトレイ４の下側に押下げられて所定量沈降する（高さｈｈから高さｈｌに低くなる）。一方、ガイド部４Ｄ１〜４Ｄ４は、トレイ４が本体１外にあって、前面開口部３の上辺部３ａがガイド部４Ｄ１〜４Ｄ４の傾斜部４Ｅ１〜４Ｅ４に当接しない状態になると、トレイ４の下側に沈降しているガイド部４Ｄ１〜４Ｄ４はトレイ４の上側に再び浮上する（高さｈｌから高さｈｈに復帰）から、ガイド部４Ｄ１〜４Ｄ４は、大径ディスクをディスク載置部４Ａに載置するときはユーザが視認しやすい高さｈｈにあり、トレイ４のローディング及びイジェクトする過程ではトレイ４の薄型化に対応して高さｈｈよりも低い高さｈｌに調整可能となっている。
【００３５】
次に、上記した構成の光ディスク装置Ａの動作について説明する。
【００３６】
トレイ４をイジェクトさせて本体１の前面開口部３から引き出した状態で、大径ディスクを大径ディスク載置部４Ａ１に載置してトレイ４に挿入力を与えると、トレイ４は手動により本体１に対してローディング動作を開始する。
【００３７】
この手動によるローディング動作の途中で、トレイ４の図示しないイジェクトエンドスイッチがトレイ通過を検出すると、その信号によりローディングモータの電源がオンする。これにより、駆動ギアが回転を始めてトレイ４をローディング方向へ移動させ始める。
【００３８】
このようにして開始されたトレイ４のローディング方向への移動工程中、制御部は、トレイ４がその移動領域中のどの位置にあるかをリアルタイムで認識している。この結果、トレイ４は本体１の所定位置に大径ディスクを搬送しそこに設置することができる。
【００３９】
ローディング動作の完了後、本体１内にあるトレイ４をイジェクトする場合、光ディスク装置Ａの図示せぬ操作バネルにあるイジェクトボタンをオンにすると、トレイ４は本体１に対してイジェクト動作を開始する。このイジェクト動作の途中で、トレイ４の図示しないイジェクトエンドスイッチがトレイ通過を検出し、その信号によりローディングモータの電源がオンする。これにより、駆動ギアが逆回転を始めてトレイ４をイジェクト方向へ移動させ始める。制御部は、トレイ４がその移動領域中のどの位置にあるかをリアルタイムで認識している。この結果、トレイは本体１外へイジェクトされ所定位置で停止することができる。
【００４０】
前述したように、トレイ４の大径ディスク載置部４Ａ１の周囲のベース部４Ｂ１〜４Ｂ４に設けたガイド部４Ｄ１〜４Ｄ４は、フローティング機構を有するものであるから、トレイ４のオープン時は、大径ディスク載置部４Ａ１の周囲のガイド部４Ｄ１〜４Ｄ４がスプリングの力で上方へ伸長されているので、大径ディスク載置部４Ａ１の周囲のガイド壁４Ｃ１〜４Ｃ４を高くしている。一方、トレイ４のローディング途中では、ガイド部４Ｄ１〜４Ｄ４の上部と前面開口部３の上辺部３ａとが当接し接触して、トレイ４をローディングする力によってガイド部４Ｄ１〜４Ｄ４の高さを、（ｈ＋ｈｈ）から（ｈ＋ｈｌ）へ下降させることで、大径ディスク載置部４Ａ１の周囲のガイド壁４Ｃ１〜４Ｃ４を低くしている。
【００４１】
この結果、トレイ４自体の厚みを変えることなくこの薄型化が達成でき、しかもユーザによる大径ディスク載置部４Ａ１の周囲の目視確認が確実に行えるようになるから、薄型化したトレイ４の大径ディスク載置部４Ａ１に大径ディスクを安定して載置することができ、これにより、ディスクの傷付きや破損を引き起こす恐れを解消することができる。
【００４２】
このように本発明は、外部から持ち込まれるディスクをトレイに載置するときはユーザが視認しやすい第１の高さとしてディスクの載置を行い易くし、かつトレイをローディング又はイジェクトする途中では薄型の本体に対応して第１の高さよりも低い第２の高さに調整可能な複数のガイド部を備えたフロントローディング型のディスク装置である。
【００４３】
また、本発明は、フロントローディング型のディスク装置であって、前面開口部（３）を有する本体（１）と、前記前面開口部を介して、前記本体内に搬入し又は前記本体外へ搬出されるトレイ（４）とを備えており、前記トレイは、ディスクを載置する載置部（４Ａ）と、前記載置部を取り囲む位置に設けられた複数のベース部（４Ｂ１〜４Ｂ４）と、前記載置部と前記複数のベース部間に設けられた複数のガイド壁部（４Ｃ１〜４Ｃ４）と、前記複数のベース部の上面から伸縮自在に露出する複数のガイド部（４Ｄ１〜４Ｄ４）とを有し、前記複数のガイド部は、前記前面開口部側に傾斜する傾斜部（４Ｅ１〜４Ｅ４）を有し、前記ガイド部の高さは、前記トレイが前記本体外又は前記本体内にあるときは前記ガイド部が前記前面開口部で規制されない第１の高さ（ｈｈ）であり、前記トレイが前記本体内に搬入される途中では前記ガイド部が前記前面開口部で規制されて第１の高さ（ｈｈ）よりも低い第２の高さ（ｈｌ）に調整されることを特徴とするディスク装置（Ａ）である。
【００４４】
上記した光ディスクは、ディスク形状の記録媒体の一例として説明したが、本発明のディスクは、光ディスクの他に、光磁気ディスクなどのディスク形状のメディアであっても良い。
【符号の説明】
【００４５】
１  本体
３  前面開口部
４  トレイ
４Ａ  載置部
４Ｂ１〜４Ｂ４  ベース部
４Ｃ１〜４Ｃ４  ガイド壁部
４Ｄ１〜４Ｄ４  ガイド部
４Ｅ１〜４Ｅ４  傾斜部
Ａ  光ディスク装置（ディスク装置）
ｈｈ  第１の高さ
ｈｌ  第２の高さ
【図１】
2011134384.tif 000003
【図２】
2011134384.tif 000004
【図３】
2011134384.tif 000005